(57)【要約】【課題】ランプが標準的な交換時間の前に劣化するなど、照明状態に異変が生じた場合にも適正に対処可能なプロジェクターを提供すること。【解決手段】プロジェクター１０において、制御部９８が、照明光を検出する光センサー８１〜８５の出力に基づいて、照明光の状態変化（具体的にはランプ本体２２ａの劣化）を報知すること、及び画像の投射状態を調整すること（具体的には色バランスの補正）を行うので、照明部２０から出射された照明光の状態を直接反映した警報、動作の適正化等が可能になる。【選択図】図１
2010210742.tif 000002
【特許請求の範囲】
【請求項１】
照明光を出射する照明装置と、
前記照明装置から出射された照明光を画像情報に応じて変調して画像を形成するライトバルブと、
前記ライトバルブで形成された画像を投射する投射光学系と、
光路上の所定位置を通過する照明光を検出する光センサーと、
前記光センサーの出力に基づいて、照明光の状態変化を報知すること、及び画像の投射状態を調整することの少なくとも一方を行う制御部と
を備えるプロジェクター。
【請求項２】
前記制御部は、前記照明装置から出射される照明光の輝度の低下を報知する、請求項１に記載のプロジェクター。
【請求項３】
前記制御部は、前記照明装置内に組み込まれたランプの劣化が所定の限界を超えたことを報知する、請求項２に記載のプロジェクター。
【請求項４】
前記制御部は、前記照明装置から出射される照明光の輝度の低下を、表示画像内の画像情報として報知する、請求項２及び請求項３のいずれか一項に記載のプロジェクター。
【請求項５】
前記制御部は、前記照明装置から出射される照明光の輝度の低下を、音声情報として報知する、請求項２及び請求項３のいずれか一項に記載のプロジェクター。
【請求項６】
前記制御部は、定常動作時における照明光の輝度、色バランス、及びチラツキのうち少なくとも１つを監視する、請求項１から請求項５までのいずれか一項に記載のプロジェクター。
【請求項７】
前記制御部は、照明光の状態変化に関する情報を保管する記憶部を有する、請求項１から請求項６までのいずれか一項に記載のプロジェクター。
【発明の詳細な説明】
【技術分野】
【０００１】
本発明は、照明装置によりライトバルブを照明することによって形成した画像をスクリーン上に投射するプロジェクターに関する。
【背景技術】
【０００２】
プロジェクターとして、光源ランプと液晶パネルと投射レンズとを備え、光源ランプの累積使用時間を計測するとともに、光源ランプの交換予定時間に対する残時間を算出して表示するものが存在する（例えば特許文献１参照）。
【先行技術文献】
【特許文献】
【０００３】
【特許文献１】特開２００２−２８７２４３号公報
【発明の概要】
【発明が解決しようとする課題】
【０００４】
しかし、上記プロジェクターのように、交換予定時間に対する残時間を算出する手法では、ランプが標準的な交換予定時間の前に劣化しても交換の案内が出ないので、ユーザーは、照明が劣化した状態でプロジェクターの使用を継続する可能性がある。
【０００５】
そこで、本発明は、ランプが標準的な交換時間の前に劣化するなど、照明状態に異変が生じた場合にも適正に対処可能なプロジェクターを提供することを目的とする。
【課題を解決するための手段】
【０００６】
上記課題を解決するため、本発明に係るプロジェクターは、照明光を出射する照明装置と、照明装置から出射された照明光を画像情報に応じて変調して画像を形成するライトバルブと、ライトバルブで形成された画像を投射する投射光学系と、光路上の所定位置を通過する照明光を検出する光センサーと、光センサーの出力に基づいて、照明光の状態変化を報知すること、及び画像の投射状態を調整することの少なくとも一方を行う制御部とを備える。
【０００７】
上記プロジェクターでは、制御部が、照明光を検出する光センサーの出力に基づいて、照明光の状態変化を報知することと画像の投射状態を調整することとの少なくとも一方を行うので、照明装置から出射された照明光の状態を直接反映した報知や調整が可能になる。具体的には、本発明のプロジェクターにより、照明光の輝度低下や輝度変動等の異変発生を監視し、その結果を反映して異変を知らせる警報、このような異変を解消するための動作の修正等を含む適切な対処が可能になる。
【０００８】
本発明の具体的な態様又は側面によれば、上記プロジェクターにおいて、制御部が、照明装置から出射される照明光の輝度の低下を報知する。この場合、光源ランプの発光特性が例えば異常に低下していることを報知することができ、プロジェクターの動作状況をユーザー等に対して適正に把握させることができる。
【０００９】
本発明の別の態様によれば、制御部が、照明装置内に組み込まれたランプの劣化が所定の限界を超えたことを報知する。この場合、光源ランプが寿命に達したことを報知することができ、光源ランプの適切な交換時期の示唆が可能になる。
【００１０】
本発明のさらに別の態様によれば、制御部が、照明装置から出射される照明光の輝度の低下を、表示画像内の画像情報として報知する。この場合、ユーザーに対して視覚的な警告情報を明確に伝えることができる。
【００１１】
本発明のさらに別の態様によれば、制御部が、照明装置から出射される照明光の輝度の低下を、音声情報として報知する。この場合、ユーザーに対して聴覚的な警告情報を簡易に伝えることができる。
【００１２】
本発明のさらに別の態様によれば、制御部が、定常動作時における照明光の輝度、色バランス、及びチラツキのうち少なくとも１つを監視する。この場合、プロジェクターの様々な動作状態を監視して、フィードバック制御や、警報告知が可能になる。
【００１３】
本発明のさらに別の態様によれば、制御部が、照明光の状態変化に関する情報を保管する記憶部を有する。この場合、例えばプロジェクターのメンテナンスに際して、プロジェクターを操作して記憶部に保管された情報を読み出すだけで、直前までの動作状態を把握することができるので、修理等に関して迅速な対応が可能になり、修理その他のメンテナンス費を節減できる。
【図面の簡単な説明】
【００１４】
【図１】実施形態のプロジェクターの構造について説明するブロック図である。
【図２】図１のプロジェクターの動作について説明するフローチャートである。
【図３】ランプ交換を要求する表示例について説明する図である。
【図４】光センサーの配置の変形例を説明する図である。
【発明を実施するための形態】
【００１５】
以下、図面を参照しつつ、本発明に係る一実施形態のプロジェクターの構造や動作について説明する。
【００１６】
図１に示すように、本実施形態のプロジェクター１０は、光学エンジンユニットとも呼ばれる本体光学装置１１と、装置全体の動作を制御する回路装置１７と、装置全体を覆う外装ケース１９とを備える。なお、説明の便宜上、図示の回路装置１７は、外装ケース１９外に表示されているが、実際は、外装ケース１９内において本体光学装置１１等の近傍に配置されている。
【００１７】
本体光学装置１１は、照明部２０、色分離導光光学系４０、光変調部５０、クロスダイクロイックプリズム６０、投射レンズ７０、及びセンサー装置８０を備えて構成される。これらのうち、照明部２０、色分離導光光学系４０、光変調部５０、クロスダイクロイックプリズム６０、及び投射レンズ７０は、遮光性を有するライトガイド１１ａ中に略全体が収納されている。なお、本体光学装置１１において、照明部２０と色分離導光光学系４０とは、光変調部５０を照明するための照明装置を構成する。
【００１８】
まず、照明部２０は、光源ランプユニット２１と、均一化光学系２３とを備える。このうち、光源ランプユニット２１は、光源として、ランプ部２１ａと、凹レンズ２１ｂとを備える。ランプ部２１ａは、例えば高圧水銀ランプ等であるランプ本体２２ａと、光源光を回収して前方に出射させる凹面鏡２２ｂとを備える。凹レンズ２１ｂは、ランプ部２１ａからの光源光をシステム光軸ＳＡすなわち照明光軸に略平行な光束にする役割を有するが、例えば凹面鏡２２ｂが放物面鏡である場合には、省略することもできる。光源ランプユニット２１の次段に配置される均一化光学系２３は、第１及び第２レンズアレイ２３ａ，２３ｂと、偏光変換部材２３ｆと、重畳レンズ２３ｈとを備える。第１及び第２レンズアレイ２３ａ，２３ｂは、それぞれマトリクス状に配置された複数の要素レンズからなる。このうち、第１レンズアレイ２３ａを構成する要素レンズによって、光源ランプユニット２１から出射された光束が複数の部分光束に分割される。また、第２レンズアレイ２３ｂを構成する要素レンズによって、第１レンズアレイ２３ａからの各部分光束は適当な発散角で出射される。偏光変換部材２３ｆは、ＰＢＳのプリズムアレイ等で構成され、レンズアレイ２３ｂから出射された光源光を特定方向の直線偏光のみに変換して次段光学系に供給する。重畳レンズ２３ｈは、偏光変換部材２３ｆを経た照明光を全体として適宜収束させることにより、光変調部５０に設けた各色用のライトバルブ５０ａ，５０ｂ，５０ｃに対する重畳照明を可能にする。つまり、照明部２０から出射された照明光は、後述するように、色分離導光光学系４０を介して各色用のライトバルブ５０ａ，５０ｂ，５０ｃの表示可能領域を均一に照明する。
【００１９】
色分離導光光学系４０は、第１及び第２ダイクロイックミラー４１ａ，４１ｂと、反射ミラー４２ａ，４２ｂ，４２ｃと、３つのフィールドレンズ４３ａ，４３ｂ，４３ｃとを備え、照明部２０から出射された照明光を赤（Ｒ）色、緑（Ｇ）色、及び青（Ｂ）色の３色に分離するとともに、各色光を次段のライトバルブ５０ａ，５０ｂ，５０ｃへ導く。より詳しく説明すると、まず、第１ダイクロイックミラー４１ａは、ＲＧＢの３色のうちＲ色の照明光ＬＲを反射しＧ色及びＢ色の照明光ＬＧ，ＬＢを透過させる。また、第２ダイクロイックミラー４１ｂは、ＧＢの２色のうちＧ色の照明光ＬＧを反射しＢ色の照明光ＬＢを透過させる。この色分離導光光学系４０において、第１ダイクロイックミラー４１ａで反射された照明光ＬＲは、ここで折れ曲がるように分岐されるＲ色用光路をシステム光軸ＳＡに略沿って進むことにより、反射ミラー４２ａを経て入射角調節用のフィールドレンズ４３ａに入射する。また、第１ダイクロイックミラー４１ａを透過し、第２ダイクロイックミラー４１ｂで反射された照明光ＬＧは、ここで折れ曲がるように分岐されるＧ色用光路をシステム光軸ＳＡに略沿って進むことにより、入射角調節用のフィールドレンズ４３ｂに入射する。さらに、第２ダイクロイックミラー４１ｂを通過した照明光ＬＢは、ここで直進するように分岐されるＢ色用光路をシステム光軸ＳＡに略沿って進むことにより、リレーレンズ４４ａ，４４ｂ及び反射ミラー４２ｂ，４２ｃを経て入射角調節用のフィールドレンズ４３ｃに入射する。
【００２０】
光変調部５０において、各ライトバルブ５０ａ，５０ｂ，５０ｃは、非発光型の光変調装置として、入射した照明光の空間的強度分布を個別に変調する。これらのライトバルブ５０ａ，５０ｂ，５０ｃは、色分離導光光学系４０から出射された各色光に対応してそれぞれ照明される液晶パネル５１ａ，５１ｂ，５１ｃと、各液晶パネル５１ａ，５１ｂ，５１ｃの入射側にそれぞれ配置される入射側偏光フィルター５２ａ，５２ｂ，５２ｃと、各液晶パネル５１ａ，５１ｂ，５１ｃの出射側にそれぞれ配置される出射側偏光フィルター５３ａ，５３ｂ，５３ｃとを備える。各液晶パネル５１ａ，５１ｂ，５１ｃは、入射側偏光フィルター５２ａ，５２ｂ，５２ｃを経て入射した照明光ＬＲ，ＬＧ，ＬＢに対してその偏光方向の空間的分布を変化させる。つまり、各液晶パネル５１ａ，５１ｂ，５１ｃにそれぞれ入射した各色の照明光ＬＲ，ＬＧ，ＬＢは、各液晶パネル５１ａ，５１ｂ，５１ｃに電気的信号として入力された駆動信号或いは制御信号に応じて、画素単位で偏光状態が調整され、出射側偏光フィルター５３ａ，５３ｂ，５３ｃの通過に伴って画素単位で空間的な強度変調が施される。
【００２１】
クロスダイクロイックプリズム６０は、カラー画像を合成するための光合成光学系であり、その内部には、Ｒ光を反射する誘電体多層膜である第１ダイクロイック膜６１と、Ｂ光を反射する誘電体多層膜である第２ダイクロイック膜６２とが、平面視Ｘ字状に配置されている。このクロスダイクロイックプリズム６０は、Ｒ色用光路上にあってシステム光軸ＳＡに略垂直に配置されたライトバルブ５０ａからの赤色光ＬＲを第１ダイクロイック膜６１で反射して進行方向右側に出射させる。また、クロスダイクロイックプリズム６０は、Ｇ色用光路上にあってシステム光軸ＳＡに略垂直に配置されたライトバルブ５０ｂからの緑色光ＬＧを、両ダイクロイック膜６１，６２を介して直進・出射させる。さらに、クロスダイクロイックプリズム６０は、Ｂ色用光路上にあってシステム光軸ＳＡに略垂直に配置されたライトバルブ５０ｃからの青色光ＬＢを第２ダイクロイック膜６２で反射して進行方向左側に出射させる。
【００２２】
投射レンズ７０は、投射光学系であり、クロスダイクロイックプリズム６０を経て形成された合成光による画像光を所望の拡大率で拡大して、後述するスクリーン上にカラーの静止画又は動画を投射する。
【００２３】
センサー装置８０は、複数の光センサー８１、８２，８３，８４，８５で構成される。このうち、第１光センサー８１は、ライトガイド１１ａ内であって、光源ランプユニット２１の凹面鏡２２ｂの背後に配置されている。第１光センサー８１は、凹面鏡２２ｂを部分的に通過する漏れ光として、ランプ部２１ａから出射される照明光の輝度を検出する。なお、本実施形態では第１光センサー８１によって例えば可視光全域の微小な漏れ光が検出されるが、凹面鏡２２ｂを通過する光束には赤外光等も含まれており、赤外光等の検出によって照明光の輝度を間接的に検出することもできる。第２光センサー８２は、ライトガイド１１ａに埋め込まれるように、均一化光学系２３の偏光変換部材２３ｆの側面に対向して配置されている。第２光センサー８２は、偏光変換部材２３ｆの側方に出射する漏れ光として、均一化光学系２３から出射される照明光の輝度を検出する。なお、本実施形態では第２光センサー８２によって例えば可視光全域の漏れ光が検出される。第３光センサー８３は、ライトガイド１１ａに埋め込まれるように、色分離導光光学系４０に設けた反射ミラー４２ａの背後に配置されている。第３光センサー８３は、反射ミラー４２ａを通過する漏れ光として、光源ランプユニット２１から出射される照明光のうち、特に赤色光ＬＲの輝度を検出する。第４光センサー８４は、ライトガイド１１ａ内であって、例えばフィールドレンズ４３ｂの近傍に配置されている。第４光センサー８４は、フィールドレンズ４３ｂの周縁を通過する漏れ光として、光源ランプユニット２１から出射される照明光のうち、特に緑色光ＬＧの輝度を検出する。第５光センサー８５は、ライトガイド１１ａに埋め込まれるように、色分離導光光学系４０に設けた反射ミラー４２ｂの背後に配置されている。第５光センサー８５は、反射ミラー４２ｂを通過する漏れ光として、光源ランプユニット２１から出射される照明光のうち、特に青色光ＬＢの輝度を検出する。
【００２４】
回路装置１７は、ビデオ信号等の外部画像信号が入力される画像処理部９１と、画像処理部９１の出力に基づいて各液晶パネル５１ａ，５１ｂ，５１ｃを駆動するパネル駆動部９２と、センサー装置８０を動作させて検出出力を受け取るセンサー駆動部９４と、光源ランプユニット２１に給電して動作状態を調整するランプ駆動部９６と、音声情報を出力するスピーカー９７と、これらの回路部分９１，９２，９４，９６等の動作を制御する制御部９８と、ユーザーが操作するためのキー操作部９９とを備える。
【００２５】
回路装置１７において、画像処理部９１は、入力された外部画像信号に対して適宜補正を行う補正部９１ａと、外部画像信号に対応する投射画像に代えて或いは重畳して文字情報等の画像情報を表示するＯＳＤＣ部９１ｂとを備える。前者の補正部９１ａは、制御部９８からの指令に基づいて、外部画像信号に対して色補正や歪補正等の各種画像処理を行う。具体的には、照明部２０から出射される照明光ＬＲ，ＬＧ，ＬＢのうち特定色の輝度が低下した場合、特定色の輝度低下を補ってカラーバランスを保つように画像処理すなわち色補正が行われる。また、入力された外部画像信号が映画等に関するものである場合、例えば色合いを重視した表示モードとなるような画像処理が行われ、或いは入力された外部画像信号がパソコンからのデジタルデータ等に関するものである場合、例えば明るさ重視した表示モードとなるような画像処理が行われる。後者のＯＳＤＣ部９１ｂは、制御部９８からの指令に基づいて、プロジェクター１０の動作状態等に関する各種データを画像情報として画面上に表示するためのものである。つまり、ＯＳＤＣ部９１ｂは、外部画像信号と直接関係のない文字、図形等を含む各種情報に相当数する光変調を、パネル駆動部９２を介して各液晶パネル５１ａ，５１ｂ，５１ｃに行わせる。このような光変調によって得られる画像は、投射レンズ７０を介してスクリーン上に拡大投影されるので、ユーザーに警告、ガイダンス等を含む各種画像情報を提示することができる。
【００２６】
パネル駆動部９２は、画像処理部９１から出力された画像処理後の画像信号に基づいて各ライトバルブ５０ａ，５０ｂ，５０ｃの透過状態を調節する駆動信号を発生する。これにより、入力された外部画像信号に対応して、ライトバルブ５０ａ，５０ｂ，５０ｃにおいて、透過率分布としての画像を形成することができる。
【００２７】
センサー駆動部９４は、センサー装置８０を構成する第１、第２、第３、第４、及び第５光センサー８１，８２，８３，８４，８５をそれぞれ動作させて検出出力Ｓ１，Ｓ２，Ｓ３，Ｓ４，Ｓ５を受け取る。このうち、検出出力Ｓ１，Ｓ２は、照明部２０から射出され各色用光路に分岐される前における照明光の輝度の間接的な検出値である。検出出力Ｓ１，Ｓ２の初期値に対する低下が所定の閾値を超えた場合、ランプ部２１ａが使用可能な限界に達したことになる。なお、検出出力Ｓ１，Ｓ２の短期的な変動は、照明光の輝度のチラツキすなわちランプ部２１ａの動作の不安定化を意味する。また、検出出力Ｓ３，Ｓ４，Ｓ５の不均衡な低下は、各色の照明光ＬＲ，ＬＧ，ＬＢの輝度差すなわち照明光の色バランスの変動を意味する。
【００２８】
ランプ駆動部９６は、光源ランプユニット２１に供給する電圧、電流、駆動周波数等を調整することができる。ランプ駆動部９６は、例えば点灯時と定常時とで動作パラメータを変更することができる。また、ランプ駆動部９６は、例えば定常時において、駆動電圧、駆動周波数等を調整することで、光源ランプユニット２１から射出させる照明光の輝度を増減させることができ、或いは光源ランプユニット２１から射出させる照明光のチラツキを低減することができる。
【００２９】
スピーカー９７は、制御部９８から出力される音声信号に応じた音声情報を出力する。音声情報としては、単なる警告音のほか、音声ガイダンス等が含まれる。警告音や音声ガイダンスによって報知される情報内容には、例えばランプ部２１ａの輝度の状況やランプ部２１ａの交換を促すようなものが含まれる。
【００３０】
制御部９８は、マイクロコンピューター等からなり、画像処理部９１、センサー駆動部９４、ランプ駆動部９６等を制御するために適宜用意されたプログラムに基づいて動作する。なお、制御部９８は、制御に必要な各種情報等を保管するための記憶部９８ａを備えている。
【００３１】
以下、図２のフローチャートを参照して、プロジェクター１０の動作の制御例について説明する。
【００３２】
まず、制御部９８は、ランプ駆動部９６に起動動作を開始させる（ステップＳ１１）。起動動作は、点灯開始から所定期間内におけるランプ部２１ａへの給電動作を意味し、ランプ部２１ａのランプ本体２２ａに供給すべき電力を徐々に増加させることで、ランプ本体２２ａの発光輝度を徐々に増加させる。この際、ランプ本体２２ａに印加されるパルス状の電圧値や電流値の増加率、駆動周波数等を調整することで、ランプ本体２２ａを劣化させないで迅速に高輝度発光状態に移行させることができる。
【００３３】
次に、制御部９８は、ランプ駆動部９６の動作を切り換えて定常動作を開始させる（ステップＳ１２）。定常動作は、加熱等によって十分な発光状態に達したランプ部２１ａへの給電動作を意味し、ランプ部２１ａのランプ本体２２ａに供給すべき電力を適当な値に保つことで、ランプ本体２２ａを安定した高輝度発光状態に保つ。この際、ランプ本体２２ａに印加されるパルス状の電圧値及び電流値、駆動周波数等を適宜増減調整することで、ランプ本体２２ａを安定した高輝度発光状態に保持することができる。
【００３４】
次に、制御部９８は、画像処理部９１を動作させて画像表示処理を行わせる（ステップＳ１３）。具体的には、外部画像信号の取り込みと、外部画像信号に対する補正処理と、文字情報等を表示する情報表示処理とを、適宜組み合わせて行わせる。このように画像処理部９１での処理によって得られた画像信号は、パネル駆動部９２に出力される。これにより、外部画像信号に対応する投射画像、或いは文字情報等を含む各種画像情報に相当する光変調を、パネル駆動部９２を介して各液晶パネル５１ａ，５１ｂ，５１ｃに行わせることができる。このような光変調によって各液晶パネル５１ａ，５１ｂ，５１ｃに形成される画像は、投射レンズ７０を介してスクリーン上に拡大投影される。
【００３５】
次に、制御部９８は、センサー駆動部９４を介してセンサー装置８０のうち第１及び第２光センサー８１，８２の検出状況すなわち照明光の輝度レベルをチェックする（ステップＳ１４）。そして、制御部９８は、両光センサー８１，８２の検出出力Ｓ１，Ｓ２の初期値に対する低下が所定の閾値未満であるか否か、すなわち照明光の輝度減少が許容限度の範囲内に収まっているか否かを判断する（ステップＳ１５）。なお、検出出力Ｓ１，Ｓ２の初期値や輝度低下の閾値は、制御部９８の記憶部９８ａに当初から保管されており、検出出力Ｓ１，Ｓ２自体は、制御部９８の記憶部９８ａに随時更新されつつ保管される。検出出力Ｓ１，Ｓ２等の情報は、メンテナンス情報として、メーカーで修理、管理等する際に利用される。すなわち、メンテナンスに際しては、持ち込まれたプロジェクター１０を専用機で計測するといった手間を省いて、プロジェクター１０を操作して制御部９８の記憶部９８ａに保管された情報を読み出すだけで、故障直前の状態を把握することができ、迅速な対応が可能になり、修理用の費用を削減できる。さらに、検出出力Ｓ１，Ｓ２等のデータを随時蓄積することで、長期間に亘る製品の動作状況を把握することができる。このような動作状況の把握によって、今後開発するプロジェクターの設計、顧客対応方法等に情報を反映させることができる。
【００３６】
検出出力Ｓ１，Ｓ２の低下が所定の閾値を超えて大きくなっている場合、照明光の輝度の低下が許容限度を超えているものとして取り扱う。この場合、ランプ部２１ａが使用可能な限界を越えて寿命に達したものとして、制御部９８は、ランプ交換を要求する警告画像を、画像処理部９１及びパネル駆動部９２を介して各液晶パネル５１ａ，５１ｂ，５１ｃに表示させる（ステップＳ１６）。具体的には、例えば図３に示すように、ランプ交換を要求する警告として、スクリーンＳＣ上に投影された投射画像ＰＩ内に字幕状の画像情報ＷＩを含ませることができる。さらに、制御部９８は、ランプ交換を要求するガイダンス等の警告音声をスピーカー９７から出力させる（ステップＳ１７）。
【００３７】
一方、検出出力Ｓ１，Ｓ２の低下が所定の閾値以下である場合、ランプ部２１ａの劣化が進行していないものとして、制御部９８は、センサー駆動部９４を介してセンサー装置８０のうち第３〜５光センサー８３〜８５の検出状況をチェックする（ステップＳ１８）。そして、制御部９８は、これら光センサー８３〜８５の検出出力Ｓ３〜Ｓ５相互のバラツキが所定の閾値未満であるか否か、すなわち照明光の色バランスの変化量が許容限度の範囲内に収まっているか否かを判断する（ステップＳ２１）。なお、照明光の色バランスの変化量は、制御部９８の記憶部９８ａに随時更新されつつ保管される。照明光の色バランスの変化量は、メンテナンス情報として、メーカーで修理、管理等する際に利用される。
【００３８】
検出出力Ｓ３〜Ｓ５の相互のバラツキが所定の閾値を超えて大きくなっている場合、ランプ部２１ａ等の特性が変化し照明光の色バランスが崩れてしまったものとして取り扱う。この場合、色バランスを回復するような投射状態の調整すなわち色補正を行う（ステップＳ２２）。つまり、制御部９８は、画像処理部９１に対して、検出出力Ｓ３〜Ｓ５相互のバラツキに基づいて照明光の色バランスの崩れを補償するような色補正としての画像処理を行わせる。パネル駆動部９２は、上記のような色補正後の駆動信号によって各液晶パネル５１ａ，５１ｂ，５１ｃを動作させる。これにより、スクリーン上に色バランスの適正な画像を投射することができる。
【００３９】
一方、検出出力Ｓ３〜Ｓ５相互のバラツキが所定の閾値以下である場合、照明光の色バランスが崩れていないものとして、制御部９８は、センサー駆動部９４を介して第１及び第２光センサー８１，８２の検出状況のうち照明光の短期的な輝度増減をチェックする（ステップＳ２３）。そして、制御部９８は、両光センサー８１，８２の検出出力Ｓ１，Ｓ２の短期的な輝度増減であるチラツキ度が許容限度の範囲内に収まっているか否かを判断する（ステップＳ２４）。なお、検出出力Ｓ１，Ｓ２のチラツキ度は、制御部９８の記憶部９８ａに随時更新されつつ保管される。このチラツキ度は、メンテナンス情報として、メーカーで修理、管理等する際に利用される。
【００４０】
検出出力Ｓ１，Ｓ２のチラツキ度が所定の閾値を超えて大きくなっている場合、ランプ部２１ａの発光状態が変化し照明光の限度を超えたチラツキが発生しているものとして取り扱う。この場合、チラツキを解消するような投射状態の調整を行う（ステップＳ２５）。つまり、制御部９８は、例えばランプ駆動部９６の動作を標準的なものからチラツキ抑制に効果のあるものに切り換えて、チラツキを抑制したランプ部２１ａの点灯駆動を行わせる。具体的には、ランプ本体２２ａに印加されるパルス状の電圧値及び電流値、駆動周波数等を調整することで、輝度を多少犠牲にしても、チラツキが少ない安定状態でランプ本体２２ａを点灯させる。
【００４１】
なお、検出出力Ｓ１，Ｓ２のチラツキ度が所定の閾値以下である場合、電源がオフになっていなければ（ステップＳ２６）、ステップＳ１４に戻って一連のチェック、警報等を継続する（ステップＳ１４〜Ｓ２５）。
【００４２】
上記の説明から明らかなように、本実施形態のプロジェクター１０では、制御部９８が、照明光を検出する光センサー８１〜８５の出力に基づいて、照明光の状態変化（具体的にはランプ本体２２ａの劣化）を報知すること、及び画像の投射状態を調整すること（具体的には色バランスの補正等）を行うので、照明部２０から出射された照明光の状態を直接反映した警報、動作の適正化等が可能になる。
【００４３】
なお、この発明は、上記の実施形態に限られるものではなく、その要旨を逸脱しない範囲において種々の態様で実施することが可能であり、例えば次のような変形も可能である。
【００４４】
すなわち、上記実施形態では、光センサー８１〜８５が光変調部５０よりも光路上流側に配置されているが、光センサー８１〜８５を光変調部５０の周辺や光変調部５０の光路下流側に配置することもできる。例えば、図４に示すように、クロスダイクロイックプリズム６０の光出射側の光路外に光センサー８８を設けることもできる。この場合、クロスダイクロイックプリズム６０に固定したミラー８９によって、光路脇にそれたライトバルブ５０ａ，５０ｂ，５０ｃからの光束ＳＬを光センサー８８に入射させる。ここで、光センサー８８は、白表示等の画像光の強度として、照明光の強度を間接的に検出するものとすることもできるが、白表示等の画像光の色バランスとして、各色の照明光の強度を間接的に検出するものとすることもできる。
【００４５】
また、上記実施形態では、定常動作時に、照明光の輝度低下、色バランスの劣化、チラツキ等を検出しているが、起動動作時に、照明光の輝度低下、色バランスの劣化、チラツキ等を監視し、これらの監視情報をメンテナンスのために制御部９８の記憶部９８ａに保管することもできる。
【００４６】
また、上記実施形態では、本体光学装置１１が、光源ランプユニット２１、均一化光学系２３、色分離導光光学系４０、光変調部５０、クロスダイクロイックプリズム６０、及び投射レンズ７０を備えるものであるとして具体的に説明したが、本発明はこれに限られるものではない。例えば、上記実施形態では、光変調部５０において、透過型の液晶パネル５１ａ，５１ｂ，５１ｃを用いているが、本発明は、反射型の液晶パネルを組み込んだプロジェクターにも適用することができる。ここで、「反射型」とは、ライトバルブが光を反射するタイプであることを意味している。さらに、上記実施形態では、光変調部５０を３個のライトバルブ５０ａ，５０ｂ，５０ｃで構成しているが、本発明は、１個以上の任意のライトバルブを組み込んだプロジェクターにも適用することができる。
【００４７】
また、上記実施形態の本体光学装置１１では、色分離導光光学系４０やライトバルブ５０ａ，５０ｂ，５０ｃ等を用いて各色の光変調を行っているが、これらに代えて、例えば照明部２０によって照明されるカラーホイールと、マイクロミラーの画素によって構成されカラーホイールの透過光が照射されるデバイス（ライトバルブ）とを組み合わせたものとを用いることによって、カラーの光変調及び合成を行うこともできる。
【００４８】
また、プロジェクターとしては、投射面を観察する方向から画像投射を行う前面投射型のプロジェクターと、投射面を観察する方向とは反対側から画像投射を行う背面投射型のプロジェクターとがあるが、図１に示すプロジェクターの構成は、いずれにも適用可能である。
【符号の説明】
【００４９】
１０…プロジェクター、  １１…本体光学装置、  １７…回路装置、  １９…外装ケース、  ２０…照明部、  ２１…光源ランプユニット、  ２１ａ…ランプ部、  ２１ｂ…凹レンズ、  ２３…均一化光学系、  ２３ａ，２３ｂ…レンズアレイ、  ２３ｆ…偏光変換部材、  ２３ｈ…重畳レンズ、  ４０…色分離導光光学系、  ４１ａ，４１ｂ…ダイクロイックミラー、  ５０…光変調部、  ５０ａ，５０ｂ，５０ｃ…ライトバルブ、  ５１ａ，５１ｂ，５１ｃ…液晶パネル、  ５３ａ，５３ｂ，５３ｃ…出射側偏光フィルター、  ６０…クロスダイクロイックプリズム、  ７０…投射レンズ、  ８０…センサー装置、  ８１，８２，８３，８４，８５…光センサー、  ９１…画像処理部、  ９２…パネル駆動部、  ９４…センサー駆動部、  ９６…ランプ駆動部、  ９７…スピーカー、  ９８…制御部、  ９８ａ…記憶部、  ＬＲ，ＬＧ，ＬＢ…照明光、  ＳＡ…システム光軸
【図１】
2010210742.tif 000003
【図２】
2010210742.tif 000004
【図３】
2010210742.tif 000005
【図４】
2010210742.tif 000006